(57)【特許請求の範囲】
【請求項１】
送風機による空気の供給により膨張して自立する膨張部を有し、内部に雪氷を収容するためのエアーテントであって、
前記膨張部が外側膨張部と内側膨張部とから構成されており、
前記内側膨張部にエアーテント内部の空気を供給するようにし、
前記外側膨張部と前記内側膨張部との間に内側排出孔を設け、前記内側膨張部内の空気を前記外側膨張部内に排出し、
前記外側膨張部に供給された空気を外部に排出するための外側排出孔を設け、前記外側膨張部内に滞留した空気を前記外側排出孔から排出するようにしたことを特徴とするエアーテント。
【請求項２】
前記エアーテントの内部に造雪機から雪氷を空気とともに供給するようにしたことを特徴とする請求項１に記載のエアーテント。
【発明の詳細な説明】
【技術分野】
【０００１】
本発明は、エアーテントに関するものである。
【背景技術】
【０００２】
従来、災害現場や仮設作業場における臨時の居住空間や、屋外イベント会場における屋根付きスペース等として、エアーテントが使用されている。このようなエアーテントは、例えば図８に示すエアーテント１００のように、送風機１による空気の供給により膨張して自立する膨張部１０１により、内部に空間が形成されるようになっており、必要に応じて出入口にカーテン１０２が設けられている。
【０００３】
また、特許文献１には、空気を吹き込んで膨張させた気柱を骨組とし気柱に跨って天幕を展開させたエアーテントにおいて使用する、軽量で優れた熱遮蔽性を有する熱遮蔽性シートに関する発明が記載されている。
【０００４】
また、特許文献２には、仮設現場に容易に設置できるようにしたエアーテントに関する発明が記載されている。
【先行技術文献】
【特許文献】
【０００５】
【特許文献１】特開２００３−１７５５５９号公報
【特許文献２】特開２０１１−１４９１９９号公報
【発明の概要】
【発明が解決しようとする課題】
【０００６】
ところで、近年の特に夏場における屋外イベントにおいては、トラック等で雪氷を運び込んで来場者に触れてもらうことが行われている。また、会場に造雪機を設置して雪氷を製造しながら提供する場合もある。運び込んだ雪氷や造雪機により製造した雪氷は、そのまま屋外に放置したままでは、直射日光を浴びることによりすぐに解けてしまい、来場者に触れてもらう時間は限られる。そのため、屋根のある場所等に収容して、できるだけ長く雪氷の状態のままで維持することが求められる。
【０００７】
そこで、屋外イベント会場で従来使用されているエアーテント内に雪氷を収容して、雪氷を解けにくくするとともに、エアーテント内を外気より低い温度の空間として、来場者に雪に触れて遊んでもらうことが考えられる。しかしながら、直射日光を浴びることによりエアーテントの内部は高温となるため、テント内部の温度上昇を抑制する必要がある。特に、エアーテントの膨張部に滞留する空気の温度上昇がテント内部の温度上昇に拍車を掛けている。これに対して別途の冷房手段を設けることも考えられるが、設置の煩わしさやコスト面の問題がある。
【０００８】
本発明は、上記従来の課題を解決するものであり、雪氷を収容した内部の温度上昇を簡単な構成で抑制することの可能なエアーテントを提供するものである。
【課題を解決するための手段】
【０００９】
上記課題を解決するため、本発明のエアーテントは、送風機による空気の供給により膨張して自立する膨張部を有し、内部に雪氷を収容するためのエアーテントであって、前記膨張部が外側膨張部と内側膨張部とから構成されており、前記内側膨張部にエアーテント内部の空気を供給するようにし、前記外側膨張部と前記内側膨張部との間に内側排出孔を設け、前記内側膨張部内の空気を前記外側膨張部内に排出し、前記外側膨張部に供給された空気を外部に排出するための外側排出孔を設け、前記外側膨張部内に滞留した空気を前記外側排出孔から排出するようにしたことを特徴とする。
【００１０】
また好ましくは、前記エアーテントの内部に造雪機から雪氷を空気とともに供給するようにしたことを特徴とする。
【発明の効果】
【００１４】
本発明のエアーテントは、送風機による空気の供給により膨張して自立する膨張部を有しており、膨張部に供給された空気を外部に排出するための排出孔を設け、膨張部内に滞留した空気を排出孔から排出するようにしたので、膨張部内に滞留して暖められた空気を外部に排出することによりエアーテント内部の温度上昇を抑制し、内部に収容された雪氷を解けにくくすることができる。
【００１５】
また、エアーテントの内部に造雪機から雪氷を空気とともに供給し、膨張部にエアーテント内部の空気を供給するようにした場合には、造雪機から供給される雪氷と低温の空気によりエアーテント内部が冷却されるとともに、冷却されたエアーテント内部の空気を膨張部に供給することで膨張部内の空気をより低温にして、エアーテント内部の温度上昇をより抑制することができる。
【００１６】
また、膨張部が外側膨張部と内側膨張部とから構成されている場合には、膨張部内の空気の温度上昇をエアーテント内部に伝わりにくくして、エアーテント内部の温度上昇をより抑制することができる。
【００１７】
また、エアーテントの内部に造雪機から雪氷を空気とともに供給し、内側膨張部にエアーテント内部の空気を供給するようにした場合には、造雪機から供給される雪氷と低温の空気によりエアーテント内部が冷却されるとともに、冷却されたエアーテント内部の空気を内側膨張部に供給することで内側膨張部内の空気をより低温にすることができる。そして、外側膨張部内の空気の温度上昇による内側膨張部への熱貫流を抑制してエアーテント内部の温度上昇をより抑制することができる。
【００１８】
また、外側膨張部と内側膨張部との間に排出孔を設け、内側膨張部内の空気を外側膨張部内に排出するようにした場合には、比較的低温である内側膨張部の空気を外側膨張部に供給する形となり、外側膨張部内の空気をより低温にして、エアーテント内部の温度上昇をより抑制することができる。
【００１９】
以上、本発明によれば、雪氷を収容した内部の温度上昇を簡単な構成で抑制することの可能なエアーテントを提供することができる。
【図面の簡単な説明】
【００２０】
【図１】実施形態１に係るエアーテントの内部構造を示す図である。
【図２】実施形態２に係るエアーテントの内部構造を示す図である。
【図３】実施形態３に係るエアーテントの内部構造を示す図である。
【図４】実施形態４に係るエアーテントの内部構造を示す図である。
【図５】実施形態５に係るエアーテントの内部構造を示す図である。
【図６】実施形態６に係るエアーテントの内部構造を示す図である。
【図７】実施形態７に係るエアーテントの内部構造を示す図である。
【図８】エアーテントを示す斜視図である。
【発明を実施するための形態】
【００２１】
次に、図１乃至図８を参照して、本発明の実施形態に係るエアーテントについて説明する。本実施形態に係るエアーテントは、図８に示すエアーテント１００のように、送風機１による空気の供給により膨張して自立する膨張部１０１を有し、内部に雪氷を収容するための空間が形成されており、出入口には外気との遮断のためにカーテン１０２が設けられたものである。以下、内部構造を示す図１乃至図７を参照して、実施形態１乃至実施形態７に係るエアーテントついて説明する。なお、各実施形態における共通部分については、同一の符号を付し適宜説明を省略する。
【００２２】
（実施形態１）
図１に示すように、実施形態１に係るエアーテント１０の膨張部は、外側膨張部１１及び内側膨張部１２から構成された二重構造になっている。外側膨張部１１には、エアーテント外部に設置された送風機１からエアーテント外部の空気が供給されるようになっている。また、内側膨張部１２には、エアーテント内部に設置された送風機２からエアーテント内部の空気が供給されるようになっている。なお、外側膨張部１１と内側膨張部１２との間には、断熱材を介在させることが好ましい。
【００２３】
外側膨張部１１の外面には排出孔１３が設けられており、外側膨張部１１内に滞留した空気が排出孔１３を経由してエアーテント１０の外部に排出されるようになっている。また、外側膨張部１１と内側膨張部１２との間（外側膨張部１１の内面と内側膨張部１２の外面との間）には、排出孔１４，１５が設けられており、内側膨張部１２内に滞留した空気が排出孔１４，１５を経由して外側膨張部１１に排出されるようになっている。
【００２４】
送風機１及び送風機２の送風量や、排出孔１３，１４，１５の数、位置及び大きさは、特に限定されず、送風機から供給される空気と排出孔から排出される空気のバランスを取りつつ、膨張部が自立するような条件で適宜設定することができる。
【００２５】
エアーテント１０の外部には造雪機３が設置されており、噴出管４を経由してエアーテント１０の内部に造雪機３で製造した雪氷を空気とともに供給するようになっている。エアーテント１０の内部は供給された雪氷を収容するとともに、供給された雪氷と低温の空気によりエアーテント１０内部が冷却される。
【００２６】
以上の構成によりエアーテント１０は、送風機１及び送風機２から供給された空気により、外側膨張部１１及び内側膨張部１２が膨張して自立するとともに、排出孔１３，１４，１５により、膨張部内に滞留した空気を排出するようになっている。
【００２７】
実施形態１に係るエアーテント１０は、送風機１，２による空気の供給により膨張して自立する外側膨張部１１及び内側膨張部１２を有しており、外側膨張部１１及び内側膨張部１２に供給された空気を外部に排出するための排出孔１３，１４，１５を設け、外側膨張部１１及び内側膨張部１２に滞留した空気を排出孔１３，１４，１５から排出するようにしたので、外側膨張部１１内及び内側膨張部１２内に滞留して暖められた空気を外部に排出することによりエアーテント１０内部の温度上昇を抑制し、内部に収容された雪氷を解けにくくすることができる。
【００２８】
また、膨張部が外側膨張部１１と内側膨張部１２とから構成されているので、膨張部内の空気の温度上昇をエアーテント１０内部に伝わりにくくして、エアーテント１０内部の温度上昇をより抑制することができる。
【００２９】
また、エアーテント１０の内部に造雪機３から雪氷を空気とともに供給し、内側膨張部１２にエアーテント１０内部の空気を供給するようにしたので、造雪機３から供給される雪氷と低温の空気によりエアーテント１０内部が冷却されるとともに、冷却されたエアーテント１０内部の空気を内側膨張部１２に供給することで内側膨張部１２内の空気をより低温にすることができる。そして、そして、外側膨張部１１内の空気の温度上昇による内側膨張部１２への熱貫流を抑制してエアーテント１０内部の温度上昇をより抑制することができる。
【００３０】
また、外側膨張部１１と内側膨張部１２との間に排出孔１４，１５を設け、内側膨張部内１２の空気を外側膨張部内１１に排出するようにしたので、比較的低温である内側膨張部１２の空気を外側膨張部１１に供給する形となり、外側膨張部１１内の空気をより低温にして、エアーテント１０内部の温度上昇をより抑制することができる。
【００３１】
（実施形態２）
図２に示すように、実施形態２に係るエアーテント２０の膨張部は、外側膨張部２１及び内側膨張部２２から構成された二重構造になっている。外側膨張部２１には、エアーテント外部に設置された送風機１からエアーテント外部の空気が供給されるようになっている。また、内側膨張部２２には、エアーテント内部に設置された送風機２からエアーテント内部の空気が供給されるようになっている。なお、外側膨張部２１と内側膨張部２２との間には、断熱材を介在させることが好ましい。
【００３２】
外側膨張部２１の外面には排出孔２３が設けられており、外側膨張部２１内に滞留した空気が排出孔２３を経由してエアーテント２０の外部に排出されるようになっている。また、内側膨張部１２の外面には排出孔２４，２５が設けられており、内側膨張部２２内に滞留した空気が排出孔２４，２５を経由してエアーテント２０の外部に排出されるようになっている。
【００３３】
送風機１及び送風機２の送風量や、排出孔２３，２４，２５の数、位置及び大きさは、特に限定されず、送風機から供給される空気と排出孔から排出される空気のバランスを取りつつ、膨張部が自立するような条件で適宜設定することができる。
【００３４】
エアーテント２０の外部には造雪機３が設置されており、噴出管４を経由してエアーテント２０の内部に造雪機３で製造した雪氷を空気とともに供給するようになっている。エアーテント２０の内部は供給された雪氷を収容するとともに、供給された雪氷と低温の空気によりエアーテント２０内部が冷却される。
【００３５】
以上の構成によりエアーテント２０は、送風機１及び送風機２から供給された空気により、外側膨張部２１及び内側膨張部２２が膨張して自立するとともに、排出孔２３，２４，２５により、膨張部内に滞留した空気を排出するようになっている。
【００３６】
実施形態２に係るエアーテント２０は、送風機１，２による空気の供給により膨張して自立する外側膨張部２１及び内側膨張部２２を有しており、外側膨張部２１及び内側膨張部２２に供給された空気を外部に排出するための排出孔２３，２４，２５を設け、外側膨張部２１及び内側膨張部２２に滞留した空気を排出孔２３，２４，２５から排出するようにしたので、外側膨張部２１内及び内側膨張部２２内に滞留して暖められた空気を外部に排出することによりエアーテント２０内部の温度上昇を抑制し、内部に収容された雪氷を解けにくくすることができる。
【００３７】
また、膨張部が外側膨張部２１と内側膨張部２２とから構成されているので、膨張部内の空気の温度上昇をエアーテント２０内部に伝わりにくくして、エアーテント２０内部の温度上昇をより抑制することができる。
【００３８】
また、エアーテント２０の内部に造雪機３から雪氷を空気とともに供給し、内側膨張部２２にエアーテント２０内部の空気を供給するようにしたので、造雪機３から供給される雪氷と低温の空気によりエアーテント２０内部が冷却されるとともに、冷却されたエアーテント２０内部の空気を内側膨張部２２に供給することで内側膨張部２２内の空気をより低温にすることができる。そして、そして、外側膨張部２１内の空気の温度上昇による内側膨張部２２への熱貫流を抑制してエアーテント２０内部の温度上昇をより抑制することができる。
【００３９】
（実施形態３）
図３に示すように、実施形態３に係るエアーテント３０の膨張部３１は一重構造になっている。膨張部３１には、エアーテント外部に設置された送風機１からエアーテント外部の空気が供給されるようになっている。また、膨張部３１には、エアーテント内部に設置された送風機２からエアーテント内部の空気が供給されるようになっている。
【００４０】
膨張部３１の外面には排出孔３３が設けられており、膨張部３１内に滞留した空気が排出孔３３を経由してエアーテント３０の外部に排出されるようになっている。
【００４１】
送風機１及び送風機２の送風量や、排出孔３３の数、位置及び大きさは、特に限定されず、送風機から供給される空気と排出孔から排出される空気のバランスを取りつつ、膨張部が自立するような条件で適宜設定することができる。
【００４２】
エアーテント３０の外部には造雪機３が設置されており、噴出管４を経由してエアーテント３０の内部に造雪機３で製造した雪氷を空気とともに供給するようになっている。エアーテント３０の内部は供給された雪氷を収容するとともに、供給された雪氷と低温の空気によりエアーテント３０内部が冷却される。
【００４３】
以上の構成によりエアーテント３０は、送風機１及び送風機２から供給された空気により、膨張部３１が膨張して自立するとともに、排出孔３３により、膨張部内に滞留した空気を排出するようになっている。
【００４４】
実施形態３に係るエアーテント３０は、送風機１，２による空気の供給により膨張して自立する膨張部３１を有しており、膨張部３１供給された空気を外部に排出するための排出孔３３を設け、膨張部３１に滞留した空気を排出孔３３から排出するようにしたので、膨張部３１内に滞留して暖められた空気を外部に排出することによりエアーテント３０内部の温度上昇を抑制し、内部に収容された雪氷を解けにくくすることができる。
【００４５】
また、エアーテント１０の内部に造雪機３から雪氷を空気とともに供給し、膨張部３１にエアーテント３０内部の空気を供給するようにしたので、造雪機３から供給される雪氷と低温の空気によりエアーテント３０内部が冷却されるとともに、冷却されたエアーテント３０内部の空気を膨張部３１に供給することで膨張部３１内の空気をより低温にして、エアーテント１０内部の温度上昇をより抑制することができる。
【００４６】
（実施形態４）
図４に示すように、実施形態４に係るエアーテント４０の膨張部４１は一重構造になっている。膨張部４１には、エアーテント外部に設置された送風機１からエアーテント外部の空気が供給されるようになっている。
【００４７】
膨張部４１の外面には排出孔４３が設けられており、膨張部４１内に滞留した空気が排出孔４３を経由してエアーテント１０の外部に排出されるようになっている。
【００４８】
送風機１の送風量や、排出孔４３の数、位置及び大きさは、特に限定されず、送風機から供給される空気と排出孔から排出される空気のバランスを取りつつ、膨張部が自立するような条件で適宜設定することができる。
【００４９】
エアーテント４０の外部には造雪機３が設置されており、噴出管４を経由してエアーテント４０の内部に造雪機３で製造した雪氷を空気とともに供給するようになっている。エアーテント４０の内部は供給された雪氷を収容するとともに、供給された雪氷と低温の空気によりエアーテン４０内部が冷却される。
【００５０】
以上の構成によりエアーテント４０は、送風機１から供給された空気により、膨張部４１が膨張して自立するとともに、排出孔４３により、膨張部内に滞留した空気を排出するようになっている。
【００５１】
実施形態４に係るエアーテント４０は、送風機１による空気の供給により膨張して自立する膨張部４１を有しており、膨張部４１に供給された空気を外部に排出するための排出孔４３を設け、膨張部４１に滞留した空気を排出孔４３から排出するようにしたので、膨張部４１内に滞留して暖められた空気を外部に排出することによりエアーテント４０内部の温度上昇を抑制し、内部に収容された雪氷を解けにくくすることができる。
【００５２】
（実施形態５）
図５に示すように、実施形態５に係るエアーテント５０の膨張部は、外側膨張部５１及び内側膨張部５２から構成された二重構造になっている。外側膨張部５１には、エアーテント外部に設置された送風機１からエアーテント外部の空気が供給されるようになっている。また、内側膨張部５２には、エアーテント外部に設置された送風機５からエアーテント外部の空気が供給されるようになっている。なお、外側膨張部５１と内側膨張部５２との間には、断熱材を介在させることが好ましい。また、内側膨張部５２に空気を供給する送風機５に冷却機能を設けて、冷却した空気を供給するようにすることもできる。これにより、内側膨張部５２内の空気をより低温にすることができる。
【００５３】
外側膨張部５１の外面には排出孔５３が設けられており、外側膨張部５１内に滞留した空気が排出孔５３を経由してエアーテント５０の外部に排出されるようになっている。また、外側膨張部５１と内側膨張部５２との間（外側膨張部５１の内面と内側膨張部５２の外面との間）には、排出孔５４，５５が設けられており、内側膨張部５２内に滞留した空気が排出孔５４，５５を経由して外側膨張部５１に排出されるようになっている。
【００５４】
送風機１及び送風機５の送風量や、排出孔５３，５４，５５の数、位置及び大きさは、特に限定されず、送風機から供給される空気と排出孔から排出される空気のバランスを取りつつ、膨張部が自立するような条件で適宜設定することができる。
【００５５】
エアーテント５０の内部には雪氷が運び込まれて積み上げられており、エアーテント５０の内部は供給された雪氷を収容するようになっている。
【００５６】
以上の構成によりエアーテント５０は、送風機１及び送風機２から供給された空気により、外側膨張部５１及び内側膨張部５２が膨張して自立するとともに、排出孔５３，５４，５５により、膨張部内に滞留した空気を排出するようになっている。
【００５７】
実施形態５に係るエアーテント５０は、送風機１，２による空気の供給により膨張して自立する外側膨張部５１及び内側膨張部５２を有しており、外側膨張部５１及び内側膨張部５２に供給された空気を外部に排出するための排出孔５３，５４，５５を設け、外側膨張部５１及び内側膨張部５２に滞留した空気を排出孔５３，５４，５５から排出するようにしたので、外側膨張部５１内及び内側膨張部５２内に滞留して暖められた空気を外部に排出することによりエアーテント５０内部の温度上昇を抑制し、内部に収容された雪氷を解けにくくすることができる。
【００５８】
また、膨張部が外側膨張部５１と内側膨張部５２とから構成されているので、膨張部内の空気の温度上昇をエアーテント５０内部に伝わりにくくして、エアーテント５０内部の温度上昇をより抑制することができる。
【００５９】
また、外側膨張部５１と内側膨張部５２との間に排出孔５４，５５を設け、内側膨張部内５２の空気を外側膨張部内５１に排出するようにしたので、比較的低温である内側膨張部５２の空気を外側膨張部５１に供給する形となり、外側膨張部５１内の空気をより低温にして、エアーテント５０内部の温度上昇をより抑制することができる。
【００６０】
（実施形態６）
図６に示すように、実施形態６に係るエアーテント６０の膨張部は、外側膨張部６１及び内側膨張部６２から構成された二重構造になっている。外側膨張部６１には、エアーテント外部に設置された送風機１からエアーテント外部の空気が供給されるようになっている。また、内側膨張部６２には、エアーテント外部に設置された送風機５からエアーテント外部の空気が供給されるようになっている。なお、外側膨張部６１と内側膨張部６２との間には、断熱材を介在させることが好ましい。また、内側膨張部６２に空気を供給する送風機５に冷却機能を設けて、冷却した空気を供給するようにすることもできる。これにより、内側膨張部６２内の空気をより低温にすることができる。
【００６１】
外側膨張部６１の外面には排出孔６３が設けられており、外側膨張部６１内に滞留した空気が排出孔６３を経由してエアーテント６０の外部に排出されるようになっている。また、内側膨張部６２の外面には排出孔６４，６５が設けられており、内側膨張部６２内に滞留した空気が排出孔６４，６５を経由してエアーテント６０の外部に排出されるようになっている。
【００６２】
送風機１及び送風機５の送風量や、排出孔６３，６４，６５の数、位置及び大きさは、特に限定されず、送風機から供給される空気と排出孔から排出される空気のバランスを取りつつ、膨張部が自立するような条件で適宜設定することができる。
【００６３】
エアーテント６０の内部には雪氷が運び込まれて積み上げられており、エアーテント６０の内部は供給された雪氷を収容するようになっている。
【００６４】
以上の構成によりエアーテント６０は、送風機１及び送風機２から供給された空気により、外側膨張部６１及び内側膨張部６２が膨張して自立するとともに、排出孔６３，６４，６５により、膨張部内に滞留した空気を排出するようになっている。
【００６５】
実施形態６に係るエアーテント６０は、送風機１，２による空気の供給により膨張して自立する外側膨張部６１及び内側膨張部６２を有しており、外側膨張部６１及び内側膨張部６２に供給された空気を外部に排出するための排出孔６３，６４，６５を設け、外側膨張部６１及び内側膨張部６２に滞留した空気を排出孔６３，６４，６５から排出するようにしたので、外側膨張部６１内及び内側膨張部６２内に滞留して暖められた空気を外部に排出することによりエアーテント６０内部の温度上昇を抑制し、内部に収容された雪氷を解けにくくすることができる。
【００６６】
また、膨張部が外側膨張部６１と内側膨張部６２とから構成されているので、膨張部内の空気の温度上昇をエアーテント６０内部に伝わりにくくして、エアーテント６０内部の温度上昇をより抑制することができる。
（実施形態７）
図７に示すように、実施形態７に係るエアーテント７０の膨張部７１は一重構造になっている。膨張部７１には、エアーテント外部に設置された送風機１からエアーテント外部の空気が供給されるようになっている。
【００６７】
膨張部７１の外面には排出孔７３が設けられており、膨張部７１内に滞留した空気が排出孔７３を経由してエアーテント７０の外部に排出されるようになっている。
【００６８】
送風機１の送風量や、排出孔７３の数、位置及び大きさは、特に限定されず、送風機から供給される空気と排出孔から排出される空気のバランスを取りつつ、膨張部が自立するような条件で適宜設定することができる。
【００６９】
エアーテント７０の内部には雪氷が運び込まれて積み上げられており、エアーテント７０の内部は供給された雪氷を収容するようになっている。
【００７０】
以上の構成によりエアーテント７０は、送風機１から供給された空気により、膨張部７１が膨張して自立するとともに、排出孔７３により、膨張部内に滞留した空気を排出するようになっている。
【００７１】
実施形態７に係るエアーテント７０は、送風機１による空気の供給により膨張して自立する膨張部７１を有しており、膨張部７１に供給された空気を外部に排出するための排出孔７３を設け、膨張部７１に滞留した空気を排出孔７３から排出するようにしたので、膨張部７１内に滞留して暖められた空気を外部に排出することによりエアーテント７０内部の温度上昇を抑制し、内部に収容された雪氷を解けにくくすることができる。
【００７２】
以上、本実施形態に係るエアーテントによれば、雪氷を収容した内部の温度上昇を簡単な構成で抑制することができる。
【００７３】
以上、本発明の実施形態に係るエアーテントについて説明したが、本発明は上述した実施の形態に限定されるわけではなく、その他種々の変更が可能である。例えば、エアーテント内部に雪氷とともに魚等の生鮮品を収容して保管することも可能である。
【符号の説明】
【００７４】
１  送風機
２  送風機
３  造雪機
４  噴出管
５  送風機
６  雪氷
１０  エアーテント
１１  外側膨張部
１２  内側膨張部
１３  排出孔
１４  排出孔
１５  排出孔
２０  エアーテント
２１  外側膨張部
２２  内側膨張部
２３  排出孔
２４  排出孔
２５  排出孔
３０  エアーテント
３１  膨張部
３３  排出孔
４０  エアーテント
４１  膨張部
４３  排出孔
５０  エアーテント
５１  外側膨張部
５２  内側膨張部
５３  排出孔
５４  排出孔
５５  排出孔
６０  エアーテント
６１  外側膨張部
６２  内側膨張部
６３  排出孔
６４  排出孔
６５  排出孔
７０  エアーテント
７１  膨張部
７３  排出孔
１００  エアーテント
１０１  膨張部
１０２  カーテン
【図１】
0006613394.tif 000002
【図２】
0006613394.tif 000003
【図３】
0006613394.tif 000004
【図４】
0006613394.tif 000005
【図５】
0006613394.tif 000006
【図６】
0006613394.tif 000007
【図７】
0006613394.tif 000008
【図８】
0006613394.tif 000009